(57)【要約】【課題】  本考案は釣り鈎の鈎先３本用の鈎先を球体溝付電動砥石の球体面と溝部を活用して研ぐ事に依り工程、手間を少なくし、鈎先をより鋭く魚の口内に刺さり良くする。【解決手段】  本考案の球体溝付電動砥石で鈎先３本用の釣り鈎の「４ａ」各Ａ面、Ｂ面、Ｃ面の各両側２面を同時に３工程で研ぎ、「４ｂ」各面のＤ面は溝付電動砥石「４ｃ」にて３工程にて研げば工程、手間は６回で済む、従来の鈎研ぎは１本の鈎先を手研ぎで３面研ぐので、鈎先３本用の鈎では工程、手間は９回と成るので、本考案は工程、手間を少なくすると共に、球体溝付電動砥石の球体の球曲面に鈎の各両側２面「４ａ」が「４ｂ」の様に球体砥石の円周面が重なる事に依り、鈎最先端の３角断面の内曲面３角頂「４ｂ」１３・「４ｄ」１３，鈎の内側に成るので、より鈎先は鋭く魚の口内に刺さり良くなる。【選択図】  図４
0003123255.tif 000002
【実用新案登録請求の範囲】
【請求項１】
球体溝付砥石を電源（電池）とし、小型電動モーターにより回転駆動シャフトに固定し、球体溝付砥石を回転させて、球体砥石の球体外曲面で鈎先３本用の釣り鈎の鈎先の両側２面を電動球体砥石の球体外曲面で、同時「３ｂ」研ぎ、もう１面は電動砥石の溝砥石「３ｃ」で研ぐ事により工程、手間を少なくした所を特徴とする釣り鈎の鈎先３本用球体溝付電動砥石。
【請求項２】
鈎先３本用の釣り鈎を球体溝付電動砥石「３ｂ」の球体の球外曲面に鈎先の両側２面「４ａ」の様に球体砥石の円周面が重なる事に依り、鈎最先端の断面は３角断面の内曲面３角頂点「４ｂ」１３・「４ｄ」１３、が鈎の内側に成るので、より鈎先は魚の口内に、より鋭く刺さりやすく成る事を特徴とする、釣り鈎の鈎先３本用球体溝付電動砥石。
【考案の詳細な説明】
【技術分野】
【０００１】  本考案は、釣り鈎の鈎先３本用の鈎先を研ぐ為に球体溝付電動砥石を設けた砥石に関するものである。
【背景技術】
【０００２】  鈎先３本用の釣り鈎は、ルアー用、フライ用、友釣り用等の川、海の釣りに広範囲に使用されているので、釣り場において釣りをして居る間に、鈎先が石等に当たつて段々と鈎先の刺さりが悪く成るので、鈎先３本用の釣り鈎の内の鈎先１本を研ぐのに手研ぎ砥石「３ａ」を使用して、３面研ぎの３工程、手間、鈎先３本用の釣り鈎では９工程、手間をかけて居た。
【特許文献１】  実用平１−１４９２５５
【考案の開示】
【考案が解決しようとする課題】
【０００３】  釣り場での鈎先３本用の鈎先を研ぐのに９工程、手間を掛けて居たので、球体溝付電動砥石の球曲面を活用して「４ａ」各Ａ面、Ｂ向、Ｃ面の鈎の各両側２面を同時に研ぎ、「４ｂ」各面のＤ面を球体溝付電動砥石の溝砥石で研ぐ事に依り６工程、手間で済むので、前述の欠点を解決しようとするものである。
【課題を解決するための手段】
【０００４】  本考案は、鈎先３本用を研ぐ工程、手間を少なくする手段として、鈎先３本用球体溝付電動砥石の球曲面を活用して「４ａ」の各Ａ面、Ｂ面、Ｃ面と分割して、Ａ面側の鈎の鈎先の両側２面を１工程とし同時に研ぎ、鈎先３本用の鈎６側面を３工程、手間で研ぎ「４ｂ」各面のＤ面を球体溝付電動砥石の溝砥石「４ｃ」にて、３工程、手間で研げるので、計６工程、手間で済むので問題点を解決して居る。
【考案の効果】
【０００５】  上述の様に、本考案の釣り鈎の鈎先３本用球体溝付電動砥石は鈎先３本用鈎を研ぐ工程、手間は球体溝付砥石の球曲面に鈎の両側２面を同時研ぎに依って工程、手間を少なくすると共に、球体溝付電動砥石「４ａ」の球体の球曲面に鈎の各両側２面が「４ｂ」の様に球体砥石の円周面が重なる事に依り、鈎最先端の断面は３角型断面の内曲面３角頂点「４ｂ」１３・「４ｄ」１３が鈎の内側に成るので、より鈎先は鋭く刺さり良く成り、魚の口内に刺さりやすく成る等を特徴として居る。
【考案を実施するための最良の形態】
【０００６】  鈎先３本用鈎を球体溝付電動砥石「３ｂ」の様に鈎の両側２面を球体の球曲面に当て、電動砥石を左回転で上下湾曲に動かしてＡ面を「４ａ」の様に鈎先を研ぐ、次にＢ面とＣ面を同様に研ぎ、鈎の６面を３工程、手間で研ぐ、最後「４ｂ」の各Ｄ面は球体溝付電動砥石「３ｃ」の様に鈎のＤ面を溝砥石「４ｃ」に当て、電動砥石を左回転で上下湾曲「３ｄ」の様に動かして「４ｄ」１３の３角断面の様に鈎先の最先端まで仕上げ研ぎを行う。
【実施例】
【０００７】  添付図面により実施例を説明する。１及２は球体型の溝付砥石はアルミ質研磨材等粒度＃５００〜１０００をシリコン等で球体溝付砥石に成型する、３はスイッチを押して居る間だけＯＮするスイッチ、４は合成樹脂又アルミ製素材にて一体化形成した本体、５は吊下フック、６は単４型電池１、５Ｖ−２本、７はバネ、８はシャフト径２ｍｍ、９は小型モーター１、５〜３Ｖ、１０はポケット差し等で構成された球体溝付電動砥石である。
【産業上の利用可能性】
【０００８】  本考案は、特に魚釣り現場で釣りをして居る間に、鈎先が石等に当たり、段々と鈎先の刺さりが悪く成るので、鈎先を刺さり良くする事が必要に成るので、鈎先３本用の釣り鈎を現場で手研ぎで９工程の手間を掛けて研ぐより、鈎先３本用球体溝付電動砥石で研げば６工程の手間で仕上げ研ぎが電動砥石で瞬時に出来ると共に鈎最先端が３角断面の内曲面３角頂点「４ｂ」１３・「４ｄ」１３、が鈎の内側に成るので、鈎先は魚の口内に、より鋭く刺さり良くなるので、本考案の鈎先３本用球体溝付電動砥石が利用される。
【図面の簡単な説明】
【０００９】
【図１】「１ａ」本考案の鈎先３本用球体溝付電動砥石の左側面図である。「１ｂ」本考案の鈎先３本用球体溝付電動砥石の正面側面図である。「１ｃ」本考案の鈎先３本用球体溝付電動砥石の右側面図である。
【図２】本考案の鈎先３本用球体溝付電動砥石の横断面図である。
【図３】「３ａ」従来からある釣り鈎の手研ぎ砥石の斜視図である。「３ｂ」本考案の鈎先３本用球体溝付電動砥石に依る各Ａ面、Ｂ面、Ｃ面の順に研ぐ斜視図である。「３ｃ」本考案の鈎先３本用球体溝付電動砥石に依る各Ｄ面を研ぐ斜視図である。「３ｄ」本考案の鈎先３本用球体溝付電動砥石に依る鈎Ｄ面を「４ｃ」溝に当て電動砥石を上下湾曲に動かして鈎先を研ぐ図である。
【図４】「４ａ」本考案の鈎先３本用球体溝付電動砥石に依る各Ａ面、Ｂ面、Ｃ面の順に研ぎの状態を拡大した鳥瞰図である。「４ｂ」本考案の鈎先３本用球体溝付電動砥石に依るＡ面とＣ面の鈎先が研がれる状態を拡大した鈎Ｄ面の断面図である。「４ｃ」本考案の鈎先３本用球体溝付電動砥石の溝砥石で鈎Ｄ面が研がれる状態を拡大した鈎Ｄ面の断面図である。「４ｄ」本考案の鈎先３本用球体溝付電動砥石で鈎先が「４ｂ」と「４ｃ」に依る鈎先の最先端１３まで研がれる状態を拡大した立面図と断面図である。
【符号の説明】
【００１０】１    球体砥石
２    球体砥石の溝
３    スイッチ
４    ケーシング
５    吊下フック
６    単４型電池１、５Ｖ−２本
７    バネ
８    シャフト径２ｍｍ
９    モーター１、５Ｖ〜３Ｖ
１０  ポケット差し
１１  鈎先３本用鈎
１２  従来からある釣り鈎の手研ぎ砥石
１３  本考案の鈎先３本用球体溝付電動砥石で研がれた鈎先の最先端３角断面
【図１】
0003123255.tif 000003
【図２】
0003123255.tif 000004
【図３】
0003123255.tif 000005
【図４】
0003123255.tif 000006
【手続補正書】
【提出日】平成17年10月27日(2005.10.27)
【手続補正１】
【補正対象書類名】実用新案登録請求の範囲
【補正対象項目名】全文
【補正方法】変更
【補正の内容】
【実用新案登録請求の範囲】
【請求項１】
球体溝付砥石を電源（電池）とし、小形電動モーターの回転駆動シャフトに固定し、釣り鈎用砥石の砥石部分を球体型状とした砥石の球外周曲面に環状のＶ型溝付きから成る砥石を備えて居る事を特徴とする、釣り鈎の鈎先３本用球体溝付電動砥石。
【手続補正書】
【提出日】平成18年2月2日(2006.2.2)
【手続補正１】
【補正対象書類名】実用新案登録請求の範囲
【補正対象項目名】全文
【補正方法】変更
【補正の内容】
【実用新案登録請求の範囲】
【請求項１】
球体溝付砥石を電源または電池で駆動する構成とし、釣り鈎用砥石の砥石部分を球体型状とし、球外周曲向を環状のＶ型溝付きとした砥石を小型電動モーターの回転駆動シャフトに固定していることを特徴とする、釣り鈎の鈎先３本用球体溝付電動砥石。
【手続補正２】
【補正対象書類名】明細書
【補正対象項目名】全文
【補正方法】変更
【補正の内容】
【考案の詳細な説明】
【技術分野】
【０００１】  本考案は、釣り鈎の針先３本用の鈎先を研ぐ為の球体溝付電動砥石を設けた釣り鈎用砥石に関するものである。
【背景技術】
【０００２】  鈎先３本用の釣り鈎は、ルアー用、フライ用、鮎の友釣り用等の川、海の釣りに広範囲に使用されているので、釣り場において釣りをして居る間に、鈎先が石等に当たって段々と釣り鈎の鈎先の刺さりが悪く成るので、鈎先３本用の釣り鈎の内の鈎先の１本を研ぐのに手研ぎ砥石「３ａ」を使用して、鈎先の３面を研ぐのに３工程の手間を掛けて居るので、鈎先３本用の釣り鈎では鈎先が３本あるので計９工程の手間と時間を掛けて居た。
【特許文献１】  実用平１−１４９２５５
【考案の開示】
【考案の解決しようとする課題】
【０００３】  釣り場での鈎先３本用の鈎先が刺さりが悪く成った時に手研ぎ砥石「３ａ」で研ぐのに計９工程の手間と時間を掛けて居た。従って、鈎先３本用球体溝付電動砥石の球体曲面と球体溝付電動砥石のＶ型溝付き砥石部分で研ぐ事に依り計６工程の手間と時間の短縮が出来るので、前述の欠点を解決しようとするものである。
【課題を解決するための手段】
【０００４】  本考案は、釣り鈎用砥石部分を研磨材粒を固めて球体形状とし、球外周曲面を環状のＶ型溝付きとして球体溝付砥石を成型した。球体溝付砥石を小型電動モーターの回転駆動シャフトに固定して、電源又は電池で回転駆動させて、釣り鈎の鈎先３本用鈎を球体溝付電動砥石の球曲面を活用して鈎先３本用鈎「４ａ」の各鈎先面のＡ面、Ｂ面、Ｃ面と分割して、Ａ両側面の鈎の鈎先部分の両側２面を１工程とし同時に球体溝付電動砥石の球体曲面で研ぎ、次にＢ両側面、Ｃ両側面を順次に研ぎ、鈎先３本用の鈎６側面を３工程の手間で研ぐ、鈎先３本用鈎のＡ側面とＣ側面の研がれた図「４ｂ」の各３本用鈎先外面のＤ面を球体溝付電動砥石のＶ型溝付砥石部「４ｃ」にて、３本用鈎先外面の各Ｄ面を３工程の手間で研げるので、計６工程の手間と時間の短縮が出来るので、問題点を解決して居る。
【考案の効果】
【０００５】  上述の様に、本考案の鈎先３本用球体溝付電動砥石は鈎先３本用鈎を研ぐのに球体溝付砥石の球体曲面に鈎先３本鈎の両側２面を同時に３工程で研ぎ、各３本用鈎先外面のＤ面をＶ型溝付砥石部で３工程で研ぎ計６工程の手間と時間の短縮すると共に、鈎先３本用鈎「４ａ」の球体の球体曲面に鈎の各両側２面が図「４ｂ」の様に球体砥石の円周面が重なる（図「４ａ」１４、「４ｂ」１４）事の依り、鈎最先端の断面は３角型断面の内曲面３角頂点「４ｂ」１３、「４ｃ」１３、「４ｄ」１３の
鈎先が鈎の内側に成るので、より鈎先は鋭く刺さり良く成り、魚の口内に刺さりやすく成る等を特徴として居る。
【考案を実施するための最良の形態】
【０００６】  鈎先３本用鈎を球体溝付電動砥石の球体砥石部に鈎先３本用鈎のＡ面を「３ｂ」の様に鈎の両側２面を当て、球体溝付電動砥石を左回転で上下湾曲「３ｄ」に動かしてＡ面を「４ａ」の様に鈎先を研ぐ、次にＢ面とＣ面を同様に研ぎ、鈎先３本鈎の各鈎先は「４ｂ」図の様に研がれる。次に「４ｂ」の各鈎先で研がれて居ない鈎先Ｄ面を「３ｃ」の様に鈎の鈎先Ｄ面を球体溝付電動砥石のＶ型溝付砥石部２にて３本用鈎先外面の各Ｄ面を「４ｃ」の様にＤ面を当て、球体溝付電動砥石を左回転で上下湾曲「３ｄ」に動かしてＤ面を「４ｄ」の３角断面の様に鈎先の最先端１３まで仕上げ研ぎを行う。
【実施例】
【０００７】  添付図面に従って実施例を説明する。１及び２はアルミ質研磨材等の粒度＃５００〜１０００をシリコン等で固めて球体溝付砥石に成型する。３はスイッチを押して居る間だけＯＮするスイッチ、４は軽量な合成樹脂材又はアルミ製素材にて円筒型に一体化形成した本体、５は吊下用フック、６は単５型電池１、５Ｖ−２本、７はバネ、８はシャフト径２ｍｍ、９は小型モーター３Ｖ，１０はポケット差し等で構成された釣り鈎の鈎先３本用球体溝付電動砥石である。
【産業上の利用可能性】
【０００８】  本考案は、特に魚釣り現場で釣りをして居る間に、鈎先が石等に当たり、段々と鈎先の刺さりが悪く成るので、鈎先を研ぐ必要が生じるので、本考案の鈎先３本用球体溝付電動砥石を使用して、鈎先を研ぐ工程の手間と時間を短縮出米ると共に鈎最先端が３角型断面の内曲面３角頂点が鈎の内側に成るので、より鈎先は鋭く魚の口内に刺さり良くなる等の利点があるので利用される。
【図面の簡単な説明】
【０００９】
【図１】「１ａ」本考案の鈎先３本用球体溝付電動砥石の左側面図である。「１ｂ」本考案の鈎先３本用球体溝付電動砥石の正面側面図である。「１ｃ」本考案の鈎先３本用球体溝付電動砥石の右側面図である。
【図２】本考案の鈎先３本用球体溝付電動砥石の横断面図である。
【図３】「３ａ」従来からある釣り鈎の手研ぎ平形砥石で研ぐ斜視図である。「３ｂ」本考案の鈎先３本用球体溝付電動砥石に依る各Ａ面、Ｂ面、Ｃ面を研ぐ斜視図である。「３ｃ」本考案の鈎先３本用球体溝付電動砥石に依る各Ｄ面を研ぐ斜視図である。「３ｄ」本考案の鈎先３本用球体溝付電動砥石に依る「３ｂ」と「３ｃ」の研ぎ方は、球体溝付電動砥石を上下湾曲に動かして鈎先を研ぐ図である。
【図４】「４ａ」本考案の鈎先３本用球体溝付電動砥石に依る鈎の各Ａ面、Ｂ面、Ｃ面の順に研ぎの状態を拡大した鳥瞰図である。「４ｂ」本考案の鈎先３本用球体溝付電動砥石に依るＡ面とＣ面の鈎先が研がれる状態を拡大した鈎Ｄ面の断面図である。「４ｃ」本考案の鈎先３本用球体溝付電動砥石のＶ型溝付砥石で鈎Ｄ面が研がれる状態を拡大した鈎Ｄ面の断面図である。「４ｄ」本考案の鈎先３本用球体溝付電動砥石で鈎先が「４ｂ」「４ｃ」に依る鈎先の最先端１３まで研がれた状態を拡大した立面図と断面図である。
【符号の説明】
【００１０】１    球体砥石
２    球体砥石の溝
３    スイッチ
４    ケーシング
５    吊下フック
６    単５型電池１、５Ｖ−２本
７    バネ
８    シャフト径２ｍｍ
９    モーター３Ｖ
１０  ポケット差し
１１  鈎先３本用鈎
１２  従来からある釣り鈎の手研ぎ砥石
１３  鈎先の最先端３角型断面の内曲面３角頂点
１４  球体砥石の円周面が重なる部分
【手続補正３】
【補正対象書類名】図面
【補正対象項目名】図４
【補正方法】変更
【補正の内容】
【図４】
0003123255.tif 000007